(57)【要約】      （修正有）【課題】内部ひさしが外部ひさしの下方に容易にそり返らないようにするサンバイザーのひさし固定ボタンを提供する。【解決手段】内部ひさし２０の矩形案内孔２１にその側面部Ｓが５ｍｍないし３０ｍｍの範囲内で線接触するように組み立てられる二つの矩形固定脚の終端部には、雌ボタン５の矩形係止孔を貫いて雌ボタン５の係止段にかかって固定される係止突起が形成された雄ボタン１と、前記雄ボタン１の矩形固定脚が貫く矩形係止孔が対称に形成され、係止孔の内側には雄ボタン１の固定脚の係止突起がかかることで離脱しないようにする係止段が形成された矩形雌ボタン５とを含んでなり、内部ひさし２０の案内孔２１に雄ボタン１の固定脚が線接触していることにより、外部ひさし１０から内部ひさし２０を引き出す過程及び引き出した状態で内部ひさし２０が外部ひさし１０の下方に容易にそり返らないようにする。【選択図】図４
0003158335.tif 000002
【実用新案登録請求の範囲】
【請求項１】
外部ひさし１０の下側で内部ひさし２０を一定長さだけ引き出し、あるいは元の位置に戻せるようにした二重ひさし構造を持つサンバイザーの外部ひさし１０と内部ひさし２０を左右側だけで固定させる固定ボタンにおいて；
前記固定ボタンは；
内部ひさし２０の案内孔２１で線接触するように組み立てられる二つの固定脚２の終端部には、雌ボタン５の係止孔６を貫いた状態で雌ボタン５の係止段７にかかって固定される係止突起３が形成された雄ボタン１と；
前記雄ボタン１の矩形の固定脚２が貫く係止孔６が対称に形成され、係止孔６の内側には前記雄ボタン１の固定脚２の係止突起３がかかることで離脱しないようにする係止段７が形成された雌ボタンとを含んでなり；
内部ひさし２０の案内孔２１に雄ボタン１の固定脚２が線接触していることにより、ひさしの左右側にだけ固定ボタンが備えられていても、外部ひさし１０から内部ひさし２０を引き出す過程及び引き出した状態で、内部ひさし２０が外部ひさし１０の下方にそり返らないようにすることを特徴とする、二重ひさし構造を持つサンバイザーのひさし固定ボタン。
【請求項２】
前記固定脚２は、内部ひさし２０の案内孔２１にその側面部Ｓが５ｍｍないし３０ｍｍの範囲内で線接触するように組み立てられることを特徴とする、請求項１に記載の二重ひさし構造を持つサンバイザーのひさし固定ボタン。
【請求項３】
前記案内孔２１及び前記係止孔６は矩形であることを特徴とする、請求項１に記載の二重ひさし構造を持つサンバイザーのひさし固定ボタン。
【請求項４】
前記固定脚２及び前記雌ボタン５は矩形であることを特徴とする、請求項１に記載の二重ひさし構造を持つサンバイザーのひさし固定ボタン。
【考案の詳細な説明】
【技術分野】
【０００１】
本考案は二重ひさし構造を持つサンバイザーのひさし固定ボタンに係り、内部ひさしを外部ひさしから引き出すか引き出したとき、内部ひさしが外部ひさしの下方にそり返る問題を解決するために、ひさしの左右で外部ひさしと内部ひさしを固定させる方式において、内側に位置する内部ひさしが外側に位置する外部ひさしに対して引き出されるかあるいは原位置に戻るようにするとき、雄ボタンの固定脚が矩形であるため、前記固定脚の側面部が内部ひさしの案内孔と線接触するようにして、内部ひさしが外部ひさしと結合された状態で下方にそり返るなどの位置離脱の現象がほとんど発生しないようにした二重ひさし構造を持つサンバイザーのひさし固定ボタンに関する。
【背景技術】
【０００２】
通常のサンバイザーは、本考案のもののように外部ひさし１０と内部ひさし２０の二重構造ではなく、一つの外部ひさし１０だけが存在するため、顔を日光から保護するのに限界がある。一方、本考案のように、外部ひさし１０ａと内部ひさし２０ａを備え、外部ひさし１０ａと内部ひさし２０ａを結合させる部分を、図１７のように、３ヶ所（中央１ヶ所、左右に各１ヶ所）に備えたサンバイザー２００が案出されたことがある。
【０００３】
これは、図１３ないし図１６のように、外部ひさし１０ａと内部ひさし２０ａを結合させるに際して、ボス１０１を持つ雄リベット１００、及び雄リベット１００のボス１０１に固定される雌リベット１１０を用いている。したがって、内部ひさし２０ａを外部ひさし１０ａから引き出すか引き出したとき、内部ひさし２０ａが外部ひさし１０ａの下方にそり返る問題は解決される。しかし、この種のサンバイザーは、雄リベット１００と雌リベット１１０がそれぞれ三つずつ、合計六つが使用されなければならなく、内部ひさし２０ａには３ヶ所の案内孔２１ａが形成されなければならないため、経済的ではなくて作業能率が落ちる欠点があるだけではなく、図１７のように、外部ひさし１０ａの中央に雄リベット１００が露出して異質感が感じられ、ちょっと品格が低くなる問題があるため、商品として発売開始できなかった。
【０００４】
したがって、本考案のような通常の帽子（サンバイザー）のように、外部ひさし１０の中央部に異質感を与える何の部品も持たなくて外部ひさし１０の左右にだけひさしの固定手段を備えたサンバイザーを商品化することが最も好ましいと言える。このような場合、前述したように、通常の雄リベット１００と雌リベット１１０を用いて外部ひさし１０と内部ひさし２０を固定させれば次のような問題点が発生する。
【０００５】
すなわち、図１３ないし図１６のように、通常の雄リベット１００はボス１０１を持ち、前記ボス１０１は円柱状を有するため、内部ひさし２０ａをつかんで外部ひさし１０ａの外部に引き出すときかつ内部ひさし２０ａを引き出したとき、図１４及び図１６のように、内部ひさし２０ａが外部ひさし１０ａの下方にそり返る欠点が発生する。その理由は、前述したボス１０１は円周形を有して内部ひさし２０ａの案内孔２１ａと点接触だけをすることになるため、内部ひさし２０ａが易しく回転するしかない構造的な限界で内部ひさし２０ａを安定に保持することができなくなる。したがって、内部ひさし２０ａが外部ひさし１０の下方にそり返って易しく位置離脱するしかないものである。
【０００６】
この際、雄リベット１００と雌リベット１１０を強く結合させれば、内部ひさし２０ａも外部ひさし１０ａに強く密着したままで定位置を維持することになる。しかし、このような場合、内部ひさし２０ａをつかんで軽く引き出すことができなくなるから、雄リベット１００と雌リベット１１０を軽く結合させて内部ひさし２０ａが外部ひさし１０ａから容易に移動できるようにしなければならないので、結局前述したような問題を解決する方法がなかった。
【０００７】
そして、通常の雌リベット１１０は、図１５のように、小直径のものが主として使用されるため、内部ひさし２０ａをつかんで引き出すとき、雌リベット１１０が内部ひさし２０ａの案内孔２１ａを通じて抜けてしまう現象が発生し、結局内部ひさし２０ａが外部ひさし１０ａから離脱してしまう問題点もたびたび発生するという実験結果を得た。もちろん、大直径の雌リベット１１０を使用することができるが、雌リベット１１０の直径が大きくなれば当然雄リベット１００の直径も大きくなければならないため、結果として外観が悪くなり、単価上昇の原因になるため好ましくないのは明らかであり、前述したように内部ひさし２０が下方にそり返る問題は解決されないものである。
【０００８】
一方、図１５及び図１６は、雄リベット１００と雌リベット１１０を用いて、本考案の図１のようにひさしの左右でばかりひさしを固定させたサンバイザーを撮影した写真である。これによっても、前述したような通常のリベットを使用することによっては、内部ひさし２０ａが外部ひさし１０ａの下方にそり返る問題を解決することができないものである。参考として、図１６は内部ひさし２０ａを外部ひさし１０ａから引き出した状態で何の力も加えなかったにもかかわらず内部ひさし２０ａが下方にそり返る状態を示すものである。
【０００９】
したがって、ひさしの左右にだけひさしの固定手段を備えながらも問題のないサンバイザーを商品として販売するためには、本考案のように特別に考案された雄ボタン１と雌ボタン５を使わなければならないという結論に至ることになった。図１８及び図１９は本考案の雄ボタン１と雌ボタン５を用いて製作したサンバイザーを撮影した写真で、本考案の案出目的を正確に満たす商品を得ることができた。図１８及び図１９において、ホワイトメタルの色相を帯びるリベットは側顔ひさしを外部ひさし１０に固定させるための固定手段で、本考案とは直接的な連関がないものである。
【考案の概要】
【考案が解決しようとする課題】
【００１０】
したがって、本考案は、二重のひさしを持つサンバイザーにおいて、内部ひさしと外部ひさしの固定手段（固定ボタン）がひさしの左右側にだけ設けられた状態でも内部ひさしが外部ひさしの下方に易しくそり返らないようにする固定ボタンを提供することをその目的とする。
【課題を解決するための手段】
【００１１】
前述したような課題を解決するために、本考案は、内部ひさしの矩形案内孔にその側面部が５ｍｍないし３０ｍｍの範囲内で線接触するように組み立てられる二つの矩形固定脚の終端部には、雌ボタンの矩形係止孔を貫いて雌ボタンの係止段にかかって固定される係止突起３が形成された雄ボタンと；前記雄ボタンの矩形固定脚が貫く矩形の係止孔が対称に形成され、係止孔の内側には前記雄ボタンの固定脚の係止突起がかかることで離脱しないようにする係止段が形成された矩形形態の雌ボタンとを含んでなり；内部ひさしの案内孔に雄ボタンの固定脚が線接触していることにより、外部ひさしから内部ひさしを引き出す過程及び引き出した状態で、内部ひさしが外部ひさしの下方にそり返らないようにする。
【考案の効果】
【００１２】
以上のように、本考案は、二重構造を持つサンバイザーにおいて、ひさしの左右部分にだけひさし固定手段を備えた状態でも、内部ひさし２０を外部ひさし１０から引き出すか引き出したとき、内部ひさし２０が外部ひさし１０から下方にそり返るか、あるいは内部ひさし２０が外部ひさし１０から離脱するなどの問題を一遍に解決することができる有用な効果とともに、一番経済的な水準で内部ひさしが外部ひさしの下方にそり返る問題を解決することができる効果が得られる。
【考案を実施するための最良の形態】
【００１３】
以下、本考案の好適な実施例を添付図面に基づいて詳細に説明する。
【００１４】
図５は本考案の雄ボタン１を示す正面図、図６は底面図、図７は雄ボタン１と雌ボタン５の縦断面図で、その組立の要領を示す。そして、図８は本考案の雌ボタン５の平面図、図９は縦断面図、図１０は底面図である。
【００１５】
このように、本考案の雄ボタン１と雌ボタン５は独特の形態及び構造を持つことにより前述したような課題を解決することができるものである。本考案は、雄ボタン１の固定脚２が矩形に長く形成させたことが一番大きな特徴である。これにより、雌ボタン５にも、雄ボタン１の固定脚２が通過して固定されるための係止孔６が形成され、雄ボタン１の固定脚２には、図面のように、係止突起３が備えられ、雌ボタン５の係止孔６内側には、前記固定脚２の係止突起３がかかって離脱しないようにするための係止段７が形成されている。
【００１６】
したがって、雌ボタン５の形状は矩形の形態を有するもので、図９のように、上面（内部ひさし２０と接触する面）は平面を成すことが好ましい。ここで、雌ボタン５の形状的特徴によって内部ひさし２０との接触面積が増大することにより、内部ひさし２０を外部ひさし１０から引き出したとき、より安定に内部ひさし２０が支持されるのはいうまでもない。さらに、前述した従来の雌リベットに比べ、サイズがより大きくて矩形の形態を持っているので、内部ひさし２０を外部ひさし１０から引き出すとき、内部ひさし２０の案内孔２１を通じて抜けて内部ひさし２０が外部ひさし１０から離脱する問題が当然なくなるものである。したがって、本考案において、雌ボタン５の形状的な特徴も非常に重要なポイントとして作用する。
【００１７】
ついで、図１１は本考案の雄ボタン１と雌ボタン５を用いて外部ひさし１０と内部ひさし２０を結合させた状態の断面図で、外部ひさし１０と内部ひさし２０が比較的自由に動けるほどに公差を維持することは言うまでもなし。図１２は本考案の雄ボタン１の固定脚２の側面部Ｓが内部ひさし２０の案内孔２１と線接触している状態を示す。したがって、内部ひさし２０においては固定脚２の側面部Ｓの全体にわたって長く線接触していることにより、外部ひさし１０から内部ひさし２０を引き出すか引き出したとき、内部ひさし２０が下方にそり返る問題が解決されるものである。この際、固定脚２の側面部Ｓの長さは２０ｍｍにした。
前記雄ボタン１の固定脚２の間には補強肉４を提供して固定脚２の強度を補強することが好ましいが、必ずしも必要なものではない。
【産業上の利用可能性】
【００１８】
本考案は、内部ひさしと外部ひさしの固定手段（固定ボタン）がひさしの左右側にだけ設けられた状態でも内部ひさしが外部ひさしの下方に易しくそり返らないようにするサンバイザーのひさし固定ボタンに適用可能である。
【図面の簡単な説明】
【００１９】
【図１】本考案の平常時の着用状態を示す平面図である。
【図２】本考案の平常時の着用状態を示す正面図である。
【図３】本考案の内部ひさしを引き出した状態を示す平面図である。
【図４】本考案の内部ひさしを引き出した状態を示す正面図である。
【図５】本考案のひさし固定用雄ボタンを示す正面図である。
【図６】図５の底面図である。
【図７】本考案のひさし固定用雄ボタンと雌ボタンを組み立てる要領を示す断面図である。
【図８】本考案の雌ボタンの平面図である。
【図９】図８の縦断面図である。
【図１０】本考案の雌ボタンの底面図である。
【図１１】本考案の内部ひさしと外部ひさしを雄ボタンと雌ボタンによって固定させた状態を示す断面図である。
【図１２】本考案の雄ボタンと内部ひさしの組立状態を示す参考図である。
【図１３】従来の一般的なリベットと内部ひさしの組立状態を示す参考図である。
【図１４】図１３の内部ひさしがそり返る状態を示す参考図である。
【図１５】従来の一般的なリベットを用いて外部ひさしと内部ひさしを結合させたサンバイザーを撮影した写真である。
【図１６】図１５のサンバイザーから内部ひさしを引き出したとき、内部ひさしが自然に下方にそり返る状態を撮影した写真である。
【図１７】従来のリベットをひさしの３ヶ所に適用させたサンバイザーの例を示す平面図である。
【図１８】本考案の雄ボタンと雌ボタンを用いて外部ひさしと内部ひさしを結合させたサンバイザーを撮影した写真である。
【図１９】内部ひさしを外部ひさしの外部に引き出した状態で、内部ひさしが下方にそり返らないで安定に定位置が維持される状態を撮影した写真である。
【符号の説明】
【００２０】
１    雄ボタン
２    固定脚
３    係止突起
５    雌ボタン
５    雌ボタン
６    係止孔
７    係止段
１０    外部ひさし
２０    内部ひさし
２１    案内孔
【図１】
0003158335.tif 000003
【図２】
0003158335.tif 000004
【図３】
0003158335.tif 000005
【図４】
0003158335.tif 000006
【図５】
0003158335.tif 000007
【図６】
0003158335.tif 000008
【図７】
0003158335.tif 000009
【図８】
0003158335.tif 000010
【図９】
0003158335.tif 000011
【図１０】
0003158335.tif 000012
【図１１】
0003158335.tif 000013
【図１２】
0003158335.tif 000014
【図１３】
0003158335.tif 000015
【図１４】
0003158335.tif 000016
【図１５】
0003158335.tif 000017
【図１６】
0003158335.tif 000018
【図１７】
0003158335.tif 000019
【図１８】
0003158335.tif 000020
【図１９】
0003158335.tif 000021